(57)【特許請求の範囲】
【請求項１】
遊技球の侵入可能な開口部が正面側に形成された本体と、前記開口部を閉塞する閉位置、または前記開口部を開放する開位置のいずれかへ変位可能で、開位置へ変位した際には、上方から落下してくる遊技球を内面側で受けて開口部内へと誘導する開閉部材と、該開閉部材を開位置または閉位置へ変位させる駆動手段とを備えた弾球遊技機の入賞装置において、
前記開口部の左右両側からそれぞれ正面側に向かって突設され、前記開閉部材が開位置へ変位した際に、該開閉部材の左右両端から遊技球が脱落するのを防止する一対の仕切り板を備えるとともに、
該仕切り板の少なくとも一部を透明にすることにより、該仕切り板の外側から該仕切り板の内側にある遊技球を目視可能としてあり、
しかも、前記仕切り板の透明な部分が、本体の正面側を構成する第１の部品の背面側に配置される第２の部品と一体成形され、前記第１の部品に形成された穴を通り抜けて前記第１の部品の正面側に突出している
ことを特徴とする弾球遊技機の入賞装置。
【請求項２】
請求項１記載の弾球遊技機の入賞装置において、
前記仕切り板の周縁部が不透明にされ、該周縁部に囲まれた部分が透明にされている
ことを特徴とする弾球遊技機の入賞装置。
【発明の詳細な説明】
【０００１】
【発明の属する技術分野】
本発明は、弾球遊技機の入賞装置に関する。
【０００２】
【従来の技術】
従来より、パチンコ機等の弾球遊技機に設けられる入賞装置の１つとして、「アタッカー」と呼ばれるタイプの入賞装置が知られている。このタイプの入賞装置は、一般に、入賞装置本体の正面側に形成された開口部に開閉可能に取り付けられた開閉部材と、その開閉部材を開閉動作させるソレノイドとを備え、常時は開閉部材が直立状態になって開口部を閉塞する一方、所定の条件が成立すると（例えば別途設けられる始動入賞口へ入球すると）、ソレノイドが作動して開閉部材が前傾し、開閉部材の内面側で受けた遊技球を開口部内へ誘導するようになっている。
【０００３】
【発明が解決しようとする課題】
ところで、上述の如き入賞装置においては、例えば図４（ａ）に示すように、開閉部材９１の内面で一旦受けた遊技球Ｂが、開閉部材９１の左右両端から脱落しないように、開閉部材９１の左右両端に一対の仕切り板９２，９２が一体に設けられていた。
【０００４】
しかし、このような仕切り板９２は、開閉部材９１が開口部９３を閉塞する際に、開口部９３の内部へ格納可能な寸法にせざるを得ないため、あまり大きなものにすることができなかった。そのため、例えば遊技球Ｂが勢いよく落下してきたような場合には、図４（ａ）に示したように、開閉部材９１の上で遊技球Ｂが弾んで仕切り板９２を乗り越え、遊技球Ｂが開閉部材９１から脱落してしまうことがあり、遊技客にとって不利になるという問題があった。また、このような遊技球Ｂの脱落が頻繁に発生するようでは、遊技機の評判が悪くなり、遊技機の可動率の低下を招く可能性もあった。
【０００５】
そこで、このような問題を解決するため、図４（ｂ）に示すように、開閉部材９５と仕切り板９６，９６を別体のものとし、開閉部材９５の変位に関係なく、常に仕切り板９６，９６が開口部９７の左右両側に突出した状態になるものを考えた。このような仕切り板９６であれば、開口部９７の内部へ格納可能な寸法にする必要がなくなるので、仕切り板９６を自由に大きくすることができ、それにより、開閉部材９５の上で遊技球Ｂが弾んだとしても仕切り板９６を乗り越えないようにすることもできるようになる。
【０００６】
しかし、このように仕切り板９６を大きなものにすると、開閉部材９５の上へ落下する遊技球Ｂが仕切り板９６の陰に隠れてしまい、遊技球Ｂの開口部９７への入球状況が見えなくなるという問題が発生した。特に、第３種特別電動役物付遊技機に分類されるパチンコ機では、この種の入賞装置が、遊技客の真正面に配置されない場合も多いため、遊技球Ｂの入球状況が見えない状態になりやすかった。
【０００７】
本発明は、上記問題を解決するためになされたものであり、その目的は、開閉部材からの遊技球の脱落を防止でき、しかも、開口部への入球状況も容易に見ることができる弾球遊技機の入賞装置を提供することにある。
【０００８】
【課題を解決するための手段、および発明の効果】
上述の目的を達成するために、請求項１記載の発明は、
遊技球の侵入可能な開口部が正面側に形成された本体と、前記開口部を閉塞する閉位置、または前記開口部を開放する開位置のいずれかへ変位可能で、開位置へ変位した際には、上方から落下してくる遊技球を内面側で受けて開口部内へと誘導する開閉部材と、該開閉部材を開位置または閉位置へ変位させる駆動手段とを備えた弾球遊技機の入賞装置において、
前記開口部の左右両側からそれぞれ正面側に向かって突設され、前記開閉部材が開位置へ変位した際に、該開閉部材の左右両端から遊技球が脱落するのを防止する一対の仕切り板を備えるとともに、
該仕切り板の少なくとも一部を透明にすることにより、該仕切り板の外側から該仕切り板の内側にある遊技球を目視可能としてあり、
しかも、前記仕切り板の透明な部分が、本体の正面側を構成する第１の部品の背面側に配置される第２の部品と一体成形され、前記第１の部品に形成された穴を通り抜けて前記第１の部品の正面側に突出している
ことを特徴とする。
【０００９】
この入賞装置において、仕切り板の少なくとも一部を透明にするには、通常は、当該部分を透明な樹脂材料で形成すればよい。
【００１０】
このように構成された入賞装置によれば、仕切り板が、開口部の左右両側から正面側に向かって突設されるものなので、開口部内への格納を必要としない。そのため、仕切り板を十分に大きくすることにより、開閉部材の左右両端から遊技球が脱落するのを防止することができる。また、このように仕切り板を大きなものとしても、仕切り板の少なくとも一部を透明にすることにより、仕切り板の外側から仕切り板の内側にある遊技球を目視可能としてあるので、開閉部材の上へ落下する遊技球が仕切り板の陰に隠れてしまうことはなく、遊技球の入賞状況を常に見ることができる。
ところで、上記のような仕切り板の取り付け構造として、請求項１記載の入賞装置で採用した構造以外のものとしては、例えば、仕切り板となる単独の部品を、接着剤等を使って本体の正面側に接着するような構造も考えられる。ただし、このような構造にすると、接着剤の多少によって仕切り板の取付強度にばらつきが生じやすい。したがって、より安定した取付強度を確保するには、仕切り板となる部分が本体の一部と一体成形されている方が有利である。しかし、本体の正面側を構成する部品と仕切り板とを一体成形し、かつ仕切り板を透明にするには、本体の正面側を構成する部品まで透明部品とせざるを得ないため、本体の正面側を不透明にしたければ、後から何らかの彩色を施さなければならないという問題が発生する。
この点、請求項１記載の入賞装置では、前記仕切り板の透明な部分が、本体の正面側を構成する第１の部品の背面側に配置される第２の部品と一体成形され、前記第１の部品に形成された穴を通り抜けて前記第１の部品の正面側に突出している。
したがって、このような入賞装置によれば、仕切り板の透明な部分は、第１の部品に形成された穴を通り抜けて第１の部品の正面側に突出しているので、第１の部品の背面側に配置される第２の部品と一体成形されているにもかかわらず、仕切り板の一部としてとして有効に機能する。また、第２の部品自体は、第１の部品に形成された穴を通り抜けない程度の大きさにできるので、仕切り板の取付強度も十分に確保される。さらに、第１の部品は、仕切り板の透明な部分とは別部品になるので、第１の部品を透明部品とする必要はなく、本体の正面側を構成する第１の部品を作製するに当たっては、後から彩色を施さなくても、初めから任意に有色樹脂を使うことができる。
【００１１】
また、本発明の入賞装置が備える仕切り板は、仕切り板の外側から仕切り板の内側にある遊技球を目視可能なものであれば、一部が透明になっていても全部が透明になっていても、機能的には問題がない。しかし、この種の遊技機は、一般に、多くの色を使った彩色が施され、各所に電飾なども施されているため、仕切り板の全部を透明にしてしまうと、仕切り板の形や大きさなどが遊技客側から把握しにくくなり、せっかく大きな仕切り板によって遊技球の脱落が防止してあるにもかかわらず、そのような好印象を遊技客に与えることができない恐れがある。
【００１２】
そこで、請求項２記載の入賞装置は、
前記仕切り板の周縁部が不透明にされ、該周縁部に囲まれた部分が透明にされている
ことを特徴とする。
【００１３】
このような入賞装置であれば、仕切り板の周縁部が不透明にされているので、遊技客が仕切り板の形状や寸法を正確に把握できる。したがって、大きな仕切り板によって遊技球の開閉部材からの脱落が防止してあるとの好印象を、遊技客に与えることができる。また、周縁部に囲まれた部分は透明にされているので、開閉部材の上へ落下する遊技球が仕切り板の陰に隠れてしまうこともない。
【００１７】
【発明の実施の形態】
次に、本発明の実施形態について一例を挙げて説明する。
入賞装置１は、図１（ａ）、同図（ｂ）に示す通り、遊技球の侵入可能な開口部１０が正面側に形成された本体１２と、開口部１０を閉塞する閉位置（図１（ａ）参照）、または開口部１０を開放する開位置（図１（ｂ）参照）のいずれかへ変位可能で、開位置へ変位した際には、上方から落下してくる遊技球を内面側で受けて開口部１０内へと誘導する開閉部材１４と、開閉部材１４を開位置または閉位置へ変位させるための動力源となるソレノイド１６とを備えている。
【００１８】
上記開閉部材１４は、図２（ａ）、同図（ｂ）に示すように、回動中心となる軸線方向の端部に一体成形された第１レバー１４ａおよび第２レバー１４ｂを有し、この第１レバー１４ａおよび第２レバー１４ｂの間隙に、本体１２内で上下にスライド可能に配設されたスライド部材１８のアーム１８ａが遊嵌している。
【００１９】
このスライド部材１８は、ソレノイド１６のプランジャ１６ａに対して固定されており、ソレノイド１６が励磁されていない時は、コイルスプリング１６ｂによって下方へ付勢され、プランジャ１６ａとともに下方へ移動する。そのため、この状態では、アーム１８ａが第１レバー１４ａを押し下げ、開閉部材１４は閉位置（図２（ａ）参照）に保持される。
【００２０】
一方、ソレノイド１６が励磁された時は、コイルスプリング１６ｂの付勢力に抗して、プランジャ１６ａとともにスライド部材１８が上昇する。そのため、この状態では、アーム１８ａが第２レバー１４ｂを押し上げることになり、開閉部材１４は支軸１４ｃを中心にして開位置へと回動する（図２（ｂ）参照）。
【００２１】
また、入賞装置１は、図１（ａ）、同図（ｂ）に示す通り、開口部１０の左右両側からそれぞれ正面側に向かって突設され、開閉部材１４が開位置へ変位した際に、開閉部材１４の左右両端から遊技球が脱落するのを防止する一対の仕切り板２０、２０を備えている。
【００２２】
この仕切り板２０は、不透明なフレーム部２０ａと、フレーム部２０ａに囲まれた透明板部２０ｂとによって構成され、フレーム部２０ａは、本体１２の正面側を構成する第１本体部品１２ａと一体成形され、一方、透明板部２０ｂは、第１本体部品１２ａの背面側に配置された第２本体部品１２ｂと一体成形され、開口部１０を通り抜けて第１本体部品１２ａの正面側に突出し、上記フレーム部２０ａの内側に収められている。ちなみに、この入賞装置１では、第１本体部品１２ａおよびフレーム部２０ａは、表面に銀色のメッキが施された樹脂部品からなり、第２本体部品１２ｂおよび透明板部２０ｂは透明な樹脂部品からなる。
【００２３】
なお、入賞装置１の内部には、図１（ｂ）に示すように、開口部１０内から本体１２の下面側へと連通する通出路２４が形成され、この通出路２４を遊技球が通過したことを検出可能な通過センサ２６が配置されている。また、入賞装置１の背面側には、点滅制御されるランプ等（図示略）を取り付けた基板２８が装着されている。
【００２４】
以上のように構成された入賞装置１によれば、仕切り板２０が開口部１０の内部へ収納されるものではないので、開口部１０の内部へ格納可能な寸法にする必要がない。したがって、仕切り板２０を自由に大きくすることができ、開閉部材１４の上で遊技球が弾んだとしても仕切り板２０を乗り越えないようにすることができる。しかも、このように仕切り板２０を大きなものにしても、図３に示すように、開閉部材１４の上へ落下する遊技球Ｂは、透明板部２０ｂを通して常に目視できるので、遊技球Ｂの開口部１０への入球状況が見えなくなることはない。したがって、例えば第３種特別電動役物付遊技機に分類されるパチンコ機で見られるように、入賞装置１が遊技客の真正面に配置されない場合であっても、遊技球Ｂの入球状況が見えない状態にはならず、遊技客が常に遊技球を目で追いながらパチンコ遊技を楽しむことができる。
【００２５】
また、仕切り板２０は、不透明なフレーム部２０ａと透明板部２０ｂとで構成されているので、開閉部材１４上の遊技球を目視できるにもかかわらず、仕切り板２０の外形の形状や寸法が明確になり、大きな仕切り板２０によって遊技球の開閉部材１４からの脱落が防止してあるとの好印象を、遊技客に与えることができる。
【００２６】
さらに、透明板部２０ｂは、第２本体部品１２ｂと一体成形され、開口部１０を通り抜けて第１本体部品１２ａの正面側に突出しているものなので、遊技球が衝突するような状況下でも脱落しない程度の安定した取付強度を、接着剤等で装置の正面側に接着されるようなものよりも容易に確保することができ、組立も接着剤等を使うより簡単になる。
【００２７】
以上、本発明の実施形態について説明したが、本発明の実施形態については上記のもの以外にも種々考えられる。
例えば、上記入賞装置１では、仕切り板２０が、不透明なフレーム部２０ａと透明板部２０ｂとで構成されていたが、遊技球の脱落を防止し、且つ遊技球の目視を可能にするという点だけを実現するのであれば、必ずしもフレーム部２０ａを設けなくてもよい。
【００２８】
また、上記入賞装置１では、不透明なフレーム部２０ａおよび透明板部２０ｂを、それぞれ本体１２の構成部品と一体成形することにより、仕切り板２０の本体１２に対する取付強度を確保していたが、十分な取付強度を確保できるのであれば、別体の仕切り板を本体に対して取り付けるような構造としてもよい。但し、比較的容易に安定した取付強度を確保できる点では、上記入賞装置１のような構造が望ましい。
【図面の簡単な説明】
【図１】  実施形態としての入賞装置を示し、（ａ）は開閉部材が閉位置にある状態における斜視図、（ｂ）は開閉部材が開位置にある状態における斜視図である。
【図２】  上記入賞装置の側面からみた内部構造を示し、（ａ）は開閉部材が閉位置にある状態における構造図、（ｂ）は開閉部材が開位置にある状態における構造図である。
【図３】  上記入賞装置における入球状況を説明するための斜視図である。
【図４】  （ａ）は従来の入賞装置を示す斜視図、（ｂ）は遊技球の脱落防止性能が改善された入賞装置を示す斜視図である。
【符号の説明】
１・・・入賞装置、１０・・・開口部、１２・・・本体、１２ａ・・・第１本体部品、１２ｂ・・・第２本体部品、１４・・・開閉部材、１４ａ・・・第１レバー、１４ｂ・・・第２レバー、１４ｃ・・・支軸、１６・・・ソレノイド、１６ａ・・・プランジャ、１６ｂ・・・コイルスプリング、１８・・・スライド部材、１８ａ・・・アーム、２０・・・仕切り板、２０ａ・・・フレーム部、２０ｂ・・・透明板部、２４・・・通出路、２６・・・通過センサ、２８・・・基板。
【図１】
0004047946.tif 000002
【図２】
0004047946.tif 000003
【図３】
0004047946.tif 000004
【図４】
0004047946.tif 000005